(57)【要約】      （修正有）【課題】画像データや動画データの作成・編集などを簡単に行うことができる２次元動画データ作成プログラムを備えた携帯情報機器の提供。【解決手段】携帯情報機器を画像データを作成するためにメッシュ状態に分割されたデータ作業エリアを生成して表示するエリア表示手段、データ作業エリアのメッシュに基づいて任意の画像データを作成する画像データ作成手段、編集・加工した画像データをデータ作業エリアのメッシュに基づいて所望の範囲に分割してオブジェクトデータを作成するオブジェクト作成手段、オブジェクトデータに所望の動作データを設定する動作データ設定手段、動作データに基づいて作動する２次元動画データを生成し、出力及び保存できる２次元動画データ生成手段として機能させるための２次元動画データ作成プログラム。【選択図】    図２
2004164396.tif 000002
【特許請求の範囲】
【請求項１】
２次元動画データを作成するために情報処理装置を、
画像データを作成するため及び／又は画像データを編集・加工するためにメッシュ状態に分割されたデータ作業エリアを生成して表示するエリア表示手段、
前記データ作業エリアのメッシュに基づいて任意の画像データを作成する画像データ作成手段、
前記画像データ作成手段で作成した画像データを前記データ作業エリアのメッシュに基づいて編集・加工する画像データ編集手段、
前記画像データ作成手段で作成した画像データや前記画像データ編集手段で編集・加工した画像データを前記データ作業エリアのメッシュに基づいて所望の範囲に分割してオブジェクトデータを作成するオブジェクト作成手段、
前記オブジェクト作成手段で作成したオブジェクトデータに所望の動作データを設定する動作データ設定手段、
前記動作データ設定手段で設定した動作データに基づいて作動する２次元動画データを生成し、該生成した２次元動画データを出力及び保存できる２次元動画データ生成手段、
として機能させるための２次元動画データ作成プログラム。
【請求項２】
エリア表示手段は、前記データ作業エリアのメッシュの形及び大きさを変更する機能を備えていること
を特徴とする請求項１に記載の２次元動画データ作成プログラム。
【請求項３】
前記画像データ編集手段は、他で作成された画像データを取り込んで編集・加工する機能を備えていること
を特徴とする請求項１に記載の２次元動画データ作成プログラム。
【請求項４】
前記画像データ編集手段は、複数個の画像データを１つの画像データに合成する機能を備えていること
を特徴とする請求項１に記載の２次元動画データ作成プログラム。
【請求項５】
前記２次元動画データ生成手段は、サウンドデータを合成する機能を備えていること
を特徴とする請求項１に記載の２次元動画データ作成プログラム。
【請求項６】
動画データを作成するプログラムを備えた携帯情報機器において、
前記動画データを作成するプログラムは、
画像データを作成するため及び／又は画像データを編集・加工するためにメッシュ状態に分割されたデータ作業エリアを生成して表示するエリア表示手段、
前記データ作業エリアのメッシュに基づいて任意の画像データを作成する画像データ作成手段、
前記画像データ作成手段で作成した画像データを前記データ作業エリアのメッシュに基づいて編集・加工する画像データ編集手段、
前記画像データ作成手段で作成した画像データや前記画像データ編集手段で編集・加工した画像データを前記データ作業エリアのメッシュに基づいて所望の範囲に分割してオブジェクトデータを作成するオブジェクト作成手段、
前記オブジェクト作成手段で作成したオブジェクトデータに所望の動作データを設定する動作データ設定手段、
前記動作データ設定手段で設定した動作データに基づいて作動する２次元動画データを生成し、該生成した２次元動画データを出力及び保存できる２次元動画データ生成手段、
として機能させるためのプログラムであること
を特徴とする携帯情報機器。
【請求項７】
エリア表示手段は、前記データ作業エリアのメッシュの形及び大きさを変更する機能を備えていること
を特徴とする請求項６に記載の携帯情報機器。
【請求項８】
前記画像データ編集手段は、他で作成された画像データを取り込んで編集・加工する機能を備えていること
を特徴とする請求項６に記載の携帯情報機器。
【請求項９】
前記画像データ編集手段は、複数個の画像データを１つの画像データに合成する機能を備えていること
を特徴とする請求項６に記載の携帯情報機器。
【請求項１０】
前記２次元動画データ生成手段は、サウンドデータを合成する機能を備えていること
を特徴とする請求項６に記載の携帯情報機器。
【発明の詳細な説明】
【０００１】
【発明の属する技術分野】
本発明は、２次元動画データ作成プログラム及びこのプログラムを備えた携帯情報機器に関するものである。詳しくは、画像データや動画データの作成や編集・加工などを携帯情報機器自体で簡単に行うことができる２次元動画データ作成プログラム及びこのプログラムを備えた携帯情報機器に関するものである。
【０００２】
【従来の技術】
従来技術において、画像データを利用して電子メールなどを作成することができる携帯電話機やＰＤＡ（Ｐｅｒｓｏｎａｌ  Ｄｉｇｉｔａｌ  Ａｓｓｉｓｔａｎｃｅ）などの携帯情報機器が存在している。
【０００３】
このような携帯情報機器では、予め用意されている画像データ（静止画及び動画データ）の中から好みの画像データを選択する、若しくは、通信ネットワークを介して所定のサーバに接続し、所望の画像データをダウンロードして利用している。
【０００４】
また、パーソナルコンピュータ（以下、ＰＣ）など他の情報機器で作成した画像データを取り込んで利用したり、また、内蔵したカメラ、若しくは接続したカメラで撮影した画像データを利用できる機器もある（例えば、特許文献１参照。）。
【０００５】
【特許文献１】
特開２００２−１７６６１９号公報（第８頁、第３図）
【０００６】
【発明が解決しようとする課題】
しかしながら、所望の画像データを作成したり、画像データに所望の動作を設定して動画データを作成する場合には、他の情報機器によって作成したり、又は、画像データや動画データを作成する機能を備えた機器に接続して作成しなけれならず、また、作成した画像データや動画データを携帯情報機器に取り込む場合には、通信ネットワークを経由したり、ケーブルや無線で接続しなければならないので手間がかかり、手軽に利用できないという問題がある。
【０００７】
従って、画像データや動画データの作成や編集・加工などを携帯情報機器自体で簡単に行うことができるようにすること、に解決しなければならない課題を有する。
【０００８】
【課題を解決するための手段】
前記課題を解決するため、本発明に係る２次元動画データ作成プログラム及びこのプログラムを備えた携帯情報機器は次のような構成にすることである。
【０００９】
（１）２次元動画データを作成するために情報処理装置を、画像データを作成するため及び／又は画像データを編集・加工するためにメッシュ状態に分割されたデータ作業エリアを生成して表示するエリア表示手段、前記データ作業エリアのメッシュに基づいて任意の画像データを作成する画像データ作成手段、前記画像データ作成手段で作成した画像データを前記データ作業エリアのメッシュに基づいて編集・加工する画像データ編集手段、前記画像データ作成手段で作成した画像データや前記画像データ編集手段で編集・加工した画像データを前記データ作業エリアのメッシュに基づいて所望の範囲に分割してオブジェクトデータを作成するオブジェクト作成手段、前記オブジェクト作成手段で作成したオブジェクトデータに所望の動作データを設定する動作データ設定手段、前記動作データ設定手段で設定した動作データに基づいて作動する２次元動画データを生成し、該生成した２次元動画データを出力及び保存できる２次元動画データ生成手段、として機能させるための２次元動画データ作成プログラム。
（２）エリア表示手段は、前記データ作業エリアのメッシュの形及び大きさを変更する機能を備えていることを特徴とする（１）に記載の２次元動画データ作成プログラム。
（３）前記画像データ編集手段は、他で作成された画像データを取り込んで編集・加工する機能を備えていることを特徴とする（１）に記載の２次元動画データ作成プログラム。
（４）前記画像データ編集手段は、複数個の画像データを１つの画像データに合成する機能を備えていることを特徴とする（１）に記載の２次元動画データ作成プログラム。
（５）前記２次元動画データ生成手段は、サウンドデータを合成する機能を備えていることを特徴とする（１）に記載の２次元動画データ作成プログラム。
【００１０】
（６）動画データを作成するプログラムを備えた携帯情報機器において、前記動画データを作成するプログラムは、画像データを作成するため及び／又は画像データを編集・加工するためにメッシュ状態に分割されたデータ作業エリアを生成して表示するエリア表示手段、前記データ作業エリアのメッシュに基づいて任意の画像データを作成する画像データ作成手段、前記画像データ作成手段で作成した画像データを前記データ作業エリアのメッシュに基づいて編集・加工する画像データ編集手段、前記画像データ作成手段で作成した画像データや前記画像データ編集手段で編集・加工した画像データを前記データ作業エリアのメッシュに基づいて所望の範囲に分割してオブジェクトデータを作成するオブジェクト作成手段、前記オブジェクト作成手段で作成したオブジェクトデータに所望の動作データを設定する動作データ設定手段、前記動作データ設定手段で設定した動作データに基づいて作動する２次元動画データを生成し、該生成した２次元動画データを出力及び保存できる２次元動画データ生成手段、として機能させるためのプログラムであることを特徴とする携帯情報機器。
（７）エリア表示手段は、前記データ作業エリアのメッシュの形及び大きさを変更する機能を備えていることを特徴とする（６）に記載の携帯情報機器。
（８）前記画像データ編集手段は、他で作成された画像データを取り込んで編集・加工する機能を備えていることを特徴とする（６）に記載の携帯情報機器。
（９）前記画像データ編集手段は、複数個の画像データを１つの画像データに合成する機能を備えていることを特徴とする（６）に記載の携帯情報機器。
（１０）前記２次元動画データ生成手段は、サウンドデータを合成する機能を備えていることを特徴とする（６）に記載の携帯情報機器。
【００１１】
このような２次元動画データ作成プログラム及びこのプログラムを備えた携帯情報機器によって、エリア表示手段のデータ作業エリアを構成するメッシュに基づいて任意の画像データを作成したり、画像データを編集・加工することにより、画像データの作成や編集・加工が簡単にできるようになる。
【００１２】
また、画像データをデータ作業エリアのメッシュに基づいて所望の範囲に分割したオブジェクトデータを生成し、このオブジェクトデータに動作データを設定することで、設定した動作データに基づいて作動する２次元動画データが生成されるので、簡単に２次元動画データを作成することができる。
【００１３】
【発明の実施の形態】
次に、本発明に係る２次元動画データ作成プログラム及びこのプログラムを備えた携帯情報機器の実施の形態について図面を参照して説明する。但し、図面は専ら解説のためのものであって、本発明の技術的範囲を限定するものではない。
【００１４】
図１（ａ）は、携帯情報機器の構成を略示的に示したブロック図の一例であり、通信部１１０、表示部１２０、データ保存部１３０、操作部１４０、記憶部１５０、制御部１６０などを具備している。
【００１５】
通信部１１０は、通信ネットワーク及び外部の装置や機器と接続することが可能であり、制御部１６０の制御に従い、データ保存部１３０に記録・保存してあるデータなどを送信することができる。また、接続された通信ネットワーク及び外部の装置や機器から各種データを受信し、制御部１６０を介してデータ保存部１３０、記憶部１５０、表示部１２０などに送出する機能を備えている。
【００１６】
表示部１２０は、制御部１６０の制御に従い、データ保存部１３０や記憶部１５０に記憶してある各種データを画面表示したり、操作部１４０の操作指示に応じた画面表示を行ったり、機器内各部の状態を画面表示する機能を備えている。また、記憶部１５０に予め記憶してあるプログラムやソフトウェア（例えば、２次元動画作成プログラムや電子メール作成ソフトウェアなど）に従って画面表示を行う。
【００１７】
データ保存部１３０は、制御部１６０の制御に従い、通信部１１０などを介して取得したり、画像データ、２次元動画データ、電子メールデータ、サウンドデータなどの各種データを記録・保存したり、記録・保存してある各種データを各部へ送出する。
【００１８】
操作部１４０は、ユーザが入力する操作指示に基づき、制御部１６０を介して機器内各部に処理や動作の指示を行う。
【００１９】
記憶部１５０は、各部１１０〜１６０を制御するための基本ソフトウェアや２次元動画作成プログラムや電子メール作成ソフトウェアなどアプリケーション・プログラムが予め記憶されているＲＯＭ（Ｒｅａｄ  Ｏｎｌｙ  Ｍｅｍｏｒｙ）や、ユーザがプログラムを起動して各種データの作成や編集・加工を行ったり、各部１１０〜１６０で処理を行う場合に使用されるＲＡＭ（Ｒａｎｄｏｍ  Ａｃｃｅｓｓ  Ｍｅｍｏｒｙ）などであり、制御部１６０の制御に従ってデータのリード・ライトを行う。
【００２０】
制御部１６０は、記憶部１５０に記録してある基本ソフトウェアに従って機器内各部１１０〜１６０のデータ転送や動作・処理の制御を行う。
【００２１】
また、図１（ｂ）に示す携帯情報機器は、上述した図１（ａ）の携帯情報機器に撮像部１７０を内蔵した機器や撮像機器１８０を接続できる機器である。
【００２２】
撮像部１７０又は撮像機器１８０は、ＣＣＤ（Ｃｈａｒｇｅ  ＣｏｕｐｌｅｄＤｅｖｉｃｅ）カメラなどであり、操作部１４０からの操作指示に従って被写体を撮像して画像データとして取り込み、制御部１６０を介して取込んだ画像データを記憶部１５０やデータ保存部１３０に保存したり、表示部１２０に表示する。
【００２３】
次に、このような携帯情報機器において、２次元動画データを作成する作成手順の概要について、図２のフローチャートを参照しながら説明する。
【００２４】
まず、携帯情報機器１００の操作部１４０を操作し、記憶部１５０に記憶してある２次元動画データ作成プログラムを起動し、２次元動画データの原画像となる画像データの作成方法を選択する。作成方法には２つの方法があり、「画像作成」又は「画像編集」何れかの作成方法を選択する（ＳＴ１００、ＳＴ１０１）。
【００２５】
画像データの作成方法で「画像作成」を選択した場合、次に、画像データを作成するときの基準となるメッシュの形状及び大きさを選択する。メッシュを選択すると、表示部１２０には選択したメッシュで構成されたデータ作業エリアと画像を描画するための描画ツールが表示される（ＳＴ１０２、ＳＴ１０３）。
【００２６】
そして、操作部１４０で所望の描画ツールを選択／操作し、データ作業エリアのメッシュを塗りつぶしてゆくことにより所望の画像データを作成する（ＳＴ１０４）。
【００２７】
画像の描画が完了すると、操作部１４０を操作して作成した画像データをデータ保存部１３０に保存する（ＳＴ１０４→ＳＴ１０８）。
【００２８】
そして、「画像作成」処理を終了するか否かを選択し、終了する場合は、次の処理へ移行する（ＳＴ１０８→ＳＴ１０９）。
【００２９】
もし、別の画像データの作成を行う場合や他の画像データを編集・加工する場合は、再び「画像作成」若しくは「画像編集」を選択し、それぞれの処理を実行する（ＳＴ１０８→ＳＴ１００→ＳＴ１０２又はＳＴ１０５→・・・）。
【００３０】
一方、「画像編集」を選択した場合、次に、画像データを編集・加工するときの基準となるメッシュの形状及び大きさを選択する。メッシュを選択すると、表示部１２０には選択したメッシュで構成されたデータ作業エリアと画像データを編集・加工するための編集ツールが表示される。（ＳＴ１０５、ＳＴ１０６）。
【００３１】
次に、操作部１４０を操作して編集・加工する画像データを取り込むと、データ作業エリアに画像データが表示されるので、編集ツールを選択／操作し、メッシュに従って所望の大きさや形に編集・加工したり、色などの調整を行う（ＳＴ１０７）。
【００３２】
画像データの編集・加工が完了すると、操作部１４０を操作して作成した画像データをデータ保存部１３０に保存する（ＳＴ１０７→ＳＴ１０８）。
【００３３】
そして、「画像編集」処理を終了するか否かを選択し、終了する場合は、次の処理へ移行する（ＳＴ１０８→ＳＴ１０９）。
【００３４】
もし、新たに画像データの作成を行う場合や別の画像データを編集・加工する場合は、再び「画像作成」若しくは「画像編集」を選択し、それぞれの処理を実行する（ＳＴ１０８→ＳＴ１００→ＳＴ１０２又はＳＴ１０５→・・・）。
【００３５】
次に、２次元動画データの原画像データとなる画像データを取り込みを行う（ＳＴ１０９）。
【００３６】
なお、既存の画像データを用いる場合は、この処理ステップ（ＳＴ１０９）から開始することも可能である。
【００３７】
操作部１４０を操作すると、表示部１２０には、取り込んだ画像データを調整したり、合成するときの基準となる所定の形状及び大きさのメッシュで構成されたデータ作業エリアと画像データを調整するための画像調整ツールが表示され、取り込んだ画像データがデータ作業エリアに表示される。
【００３８】
ここで、複数の画像データを組み合わせて２次元動画データを作成する場合は、操作部１４０を操作してデータ保存部１３０などから所望の画像データを順次取り込んでゆく。取り込んだ画像データは、データ作業エリアに順次追加表示される（ＳＴ１０９→ＳＴ１１０の繰り返し）。
【００３９】
画像データの取り込みが完了したら、画像調整ツールを選択／操作し、データ作業エリアのメッシュに従って各画像データを所望の位置・大きさ・方向に調整する（ＳＴ１１１）。
【００４０】
複数の画像データを取り込んでいる場合には、適宜データ作業エリアの所望位置に配置し、操作部１４０を操作して１つの画像データに合成し、合成した画像データを新たな画像データとしてデータ保存部１３０に保存する（ＳＴ１１２）。
【００４１】
次に、画像データに動作を与えるための動作データを設定する。
【００４２】
操作部１４０を操作すると、画像データを動作の支点となる箇所で分割するための分割ツールが表示部１２０に表示されるので、この分割ツールを選択／操作して、データ作業エリアの画像データの動作の支点となる箇所（任意の箇所）でメッシュに沿って分割（範囲指定）する。これにより、原画像データは、動作支点となる箇所が設定されたオブジェクトデータに分割される（ＳＴ１１３）。
【００４３】
続いて、操作部１４０を操作して、動作データの設定モードの選択を行う。動作データの設定モードには、「自動設定」と「手動設定」の２つの設定モードがあり、何れの設定を行うかを選択する（ＳＴ１１４）。
【００４４】
ここで、「自動設定」を選択した場合、指定したオブジェクトデータに対し、予め用意されている動作データの中から所望の動作データを選択することで、所定の動作データ（上下、左右、回転などの動き）が自動設定される（ＳＴ１１５→ＳＴ１１７）。
【００４５】
一方、「手動設定」を選択した場合、まず、動作データを設定するオブジェクトデータを選択する。オブジェクトデータが選択されると、動作（上下、左右、回転など）や動作範囲、動作速度、動作回数（時間）などを設定するための動作設定項目が表示されるので、その画面の設定に従って各項目を設定してゆくことにより選択したオブジェクトデータに所望の動作データが設定される。（ＳＴ１１６→ＳＴ１１７）。
【００４６】
自動設定若しくは手動設定により動作データの設定が完了すると、原画像データに動きが与えられた（動作データが設定された）２次元動画データが生成され、データ作業エリアで動作を開始する。
【００４７】
そして、この２次元動画データの動作状態を確認し、所望の動作となるように調整してデータ保存部１３０に保存する（ＳＴ１１６）。
【００４８】
このようにして作成した２次元動画データは、電子メールと組み合わせて利用したり、他の機器との間で授受することができる。
【００４９】
次に、図２のフローチャートにおける各処理についての具体的な説明を行う。
【００５０】
まず、「画像作成」処理について説明する（図２のＳＴ１０２〜１０４参照）。
【００５１】
「画像作成」を選択した場合、続いて、操作部１４０を操作して画像データを作成するときの基準となるメッシュの形状及び大きさを選択する。メッシュを選択すると、表示部１２０には、例えば、図３に示すような作成画面１２０Ａが表示される。
【００５２】
なお、メッシュの形状は、四角、三角などがあり、その大きさは、機器の表示部の表示能力に応じて何段階かに設定できるようになっているので、所望の形状及び大きさを適宜選択する。また、デフォルト設定のメッシュが自動的に選択されるようにしてもよい。
【００５３】
図３の作成画面１２０Ａは、選択した形状及び大きさのメッシュ（ここでは、四角メッシュ）で構成されたデータ作業エリア１２１ａと、メッシュ内部を塗りつぶす色を選択する描画ツール１２２ａ、選択した範囲のメッシュ内部を所定の形状に塗りつぶすため描画ツール１２３ａ、描画する範囲を指定したり、指定した範囲のメッシュを塗りつぶしたり、拡大／縮小、消去、回転させたりするための描画ツール１２４ａなどが表示される。
【００５４】
なお、操作部１４０を操作することにより、作成領域１２１ａのメッシュの形状や大きさなどは適宜変更でき、また、画面データを拡大／縮小することもできる。また、上述した以外の描画ツールであってもよく、操作部１４０によって切り換え操作を行い、様々な描画ツールを使用できるようにすることも可能である。
【００５５】
そして、操作部１４０を操作することにより作成画面１２０Ａの描画ツール１２２ａ〜１２４ａを適宜選択／操作し、例えば、図４に示すように、選択した範囲のメッシュの内部を所望の色の形状で塗りつぶすことによって、所望の画像データを作成して行き、図５に示すように画像データの描画が完了すると、作成した画像データをデータ保存部１３０に保存する。
【００５６】
次に、「画像編集」処理について説明する（図２のＳＴ１０５〜１０７参照）。
【００５７】
「画像編集」を選択した場合、続いて、操作部１４０を操作して画像データを編集・加工するときの基準となるメッシュの形状及び大きさを選択する。メッシュを選択すると、表示部１２０には、例えば、図６に示すような編集画面１２０Ｂが表示される。
【００５８】
なお、メッシュの形状は、四角、三角などがあり、その大きさは、機器の表示部の表示能力に応じて何段階かに設定できるようになっているので、所望の形状及び大きさを適宜選択する。また、デフォルト設定のメッシュが自動的に選択されるようにしてもよい。
【００５９】
図６の編集画面１２０Ｂは、選択した形状及び大きさのメッシュ（ここでは、四角メッシュ）で構成されたデータ作業エリア１２１ｂと、メッシュ内部を塗りつぶす色を選択する編集ツール１２２ｂ、選択した範囲のメッシュ内部を所定の形状に塗りつぶすため編集ツール１２３ｂ、編集・加工する範囲を指定したり、指定した範囲のメッシュを塗りつぶしたり、拡大／縮小、消去、回転させたりするための編集ツール１２４ｂなどが表示される。
【００６０】
なお、操作部１４０を操作することにより、作成領域１２１ａのメッシュの形状や大きさなどは適宜変更でき、また、画面データを拡大／縮小することもできる。また、上述した以外の編集ツールであってもよく、操作部１４０によって切り換え操作を行い、様々な編集ツールを使用できるようにすることも可能である。
【００６１】
続いて、操作部１４０を操作し、データ保存部１３０に保存してある画像データを読み出す、通信部１１０を介して所定のサーバに保存してあるデータをダウンロードする、機器に内蔵又は接続したＣＣＤカメラなどで撮像する、などの方法により所望の画像データをデータ作業エリア１２１ｂに取り込む。
【００６２】
そして、例えば、図７に示すようにデータ作業エリア１２１ｂに取り込んだ所望の画像データを編集ツール１２２ｂ〜１２４ｂを適宜選択／操作して、図８に示すように所望の大きさ、形、色などに編集・加工し、編集・加工した画像データをデータ保存部１３０に保存する。
【００６３】
次に、複数の画像データを合成する処理について説明する（図２のＳＴ１０９〜ＳＴ１１２参照）。
【００６４】
まず、携帯情報機器１００の操作部１４０を操作して画像データの取り込みを行う。表示部１２０には、画像データを取り込んで、調整したり合成するための作業画面、例えば、図９に示すような表示画面１２０Ｃが表示される。
【００６５】
図９の表示画面１２０Ｃには、画像データを保存した時点におけるメッシュやデフォルト設定のメッシュがで構成されたデータ作業エリア１２１ｃと、画像データの取り込み、取り込んだ画像データの大きさ・位置・方向などの調整、複数の画像データを１つの画像データに合成するための合成ツール１２２ｃ、取り込んだ画像データの情報を表示するデータ表示部１２４ｃが表示される。
【００６６】
なお、操作部１４０を操作することにより、データ作業エリア１２１ｃのメッシュの形状や大きさなどは適宜変更でき、また、画像データの表示を拡大／縮小するようにしておくこともできる。
【００６７】
そして、操作部１４０により画像調整ツール１２２ｃを操作し、データ保存部１３０などに保存してある所望の画像データを順次取り込んでゆく。
【００６８】
画像データを取り込むと、例えば、図１０に示すようにデータ作業エリア１２１ｃに画像データ▲１▼、画像データ▲２▼というように順次追加表示され、取り込んだ画像データの情報がデータ表示部１２４ｃに表示される。
【００６９】
そして、画像調整ツール１２２ｃを適宜選択／操作して、データ作業エリア１２１ｃに取り込んだ画像データ▲１▼、画像データ▲２▼を所望の位置・大きさ・方向に調整する。
【００７０】
各画像データの調整が完了したら、操作部１４０を操作して、図１１に示すように１つの画像データに合成し、合成した画像データを新たな画像データとしてデータ保存部１３０に保存する。
【００７１】
次に、画像データをオブジェクトデータに分割する処理について説明する（図２のＳＴ１１３〜ＳＴ１１８参照）。
【００７２】
携帯情報機器１００の操作部１４０を操作して、画像データを動作の支点となる箇所で分割したオブジェクトデータを作成する。表示部１２０には、画像データにオブジェクトデータを作成するための作業画面、例えば、図１２に示すような表示画面１２０Ｄが表示される。
【００７３】
図１２の表示画面１２０Ｄは、画像データを保存した時点におけるメッシュやデフォルト設定のメッシュがで構成されたデータ作業エリア１２１ｄと、画像データを動作の支点となる箇所を分割（範囲指定）する分割ツール１２２ｄ、取り込んだ画像データの情報を表示するデータ表示部１２４ｄが表示される。
【００７４】
なお、操作部１４０を操作することにより、データ作業エリア１２１ｄのメッシュの形状や大きさなどは適宜変更でき、また、画像データの表示を拡大／縮小するようにしておくこともできる。
【００７５】
続いて、操作部１４０を操作してデータ保存部１３０に保存してある所望の画像データを順次取り込む。
【００７６】
画像データを取り込むと、図１２に示すようにデータ作業エリア１２１ｄに所望の画像データが表示され、取り込んだ画像データの情報がデータ表示部１２４ｃに表示される。
【００７７】
そして、分割ツール１２２ｄを適宜選択／操作して、取り込んだ画像データを動作の支点となる箇所（任意の箇所）でデータ作業エリア１２１ｄのメッシュに基づいて分割（範囲指定）する。これにより、原画像データは、指定された箇所で動作支点が設定されたオブジェクトデータに分割される。ここでは、オブジェクト▲１▼、オブジェクト▲２▼というオブジェクトデータに分割される。
【００７８】
なお、上述した画像データの調整や合成処理を行った画像データを表示したまま、表示画面１２０Ｃから表示画面１２０Ｄに連続して切り替わるようにしておくことも可能である。
【００７９】
続いて、オブジェクトデータに対して動作データの設定を行う。携帯情報機器１００の表示部１２０には、分割したオブジェクトデータに動きを与えるための動作データを設定する作業画面、例えば、図１３に示すような表示画面１２０Ｅが表示される。
【００８０】
図１３の表示画面１２０Ｅは、オブジェクトデータに分割された画像データにを表示し、動作データを設定するためのデータ作業エリア１２１ｅと、２次元動画データや画像データ全体の動作、位置、大きさなどを調整するための動作調整ツール１２２ｅと、各オブジェクトに対する動作データを選択／設定する動作データ選択部１２４ｅが表示される。
【００８１】
操作部１４０により、動作データの設定モードの選択する。動作モードには、予め用意されている動作データを選択して自動的に設定する「自動設定」と、分割した個々のオブジェクトデータに動作データを設定する「手動設定」の２つの動作設定モードがあり、何れの設定を行うかを選択する。
【００８２】
「自動設定」を選択した場合、図１４に示すように、記憶部１５０などに記憶され、予め動きが設定されている動作データが動作データ選択部１２４ｅに表示される。なお、自動設定用の動作データは、ネットワークを介して所定のサーバからダウンロードして利用することも可能である。
【００８３】
操作部１４０により動作データを設定するオブジェクトデータを選択し、続いて、動作データ選択部１２４ｅに表示されている動作データの中から所定の動作データを選択することにより、選択したオブジェクトデータに対して所定の動作データ（上下、左右、回転などの動き）が自動的に設定される。
【００８４】
一方、「手動設定」を選択した場合、まず、操作部１４０により、動作データを設定するオブジェクトデータを選択する。
【００８５】
オブジェクトデータが選択されると、図１５に示すように、そのオブジェクトデータに対する動作（上下、左右、回転など）、動作速度、動作回数（時間）などを設定するための設定項目がオブジェクト別に動作データ選択部１２４ｅに表示されるので、操作部１４０により各設定項目を適宜設定する。そして、同様に他のオブジェクトデータに対しても設定を行う。
【００８６】
自動設定又は手動設定により動作データの設定が完了したら操作部１４０により所定の操作を行うことで、図１６に示すように、原画像データに動作データが設定された２次元動画データが生成され、データ作業領域１２１ｅで動作を開始する。
【００８７】
そして、この２次元動画データの動作を確認し、２次元動画データ全体の動作、位置、大きさなどを動作調整ツール１２２ｅで調整したり、各オブジェクトデータの動作データを調整し、所望の動作に調整した２次元動画データをデータ保存部１３０に保存する。
【００８８】
また、データ保存部１３０などに音楽や音声などのサウンドデータが記憶してある場合には、図１７に示すように、動作データ選択部１２４ｅにサウンドデータを表示させ、操作部１４０により所望のサウンドデータを選択することで、２次元動画データと組み合わせたサウンド付きの２次元動画データを作成することも可能である。
【００８９】
このようにして作成した２次元動画データは、例えば、図１８に示すように、電子メールと組み合わせて２次元動画データ付き電子メールとして送受信したり、２次元動画データを通信ネットワーク、又は有線／無線利用して他の機器と授受したり、メモリカードなどの記録媒体を介して授受することもできる。
【００９０】
【発明の効果】
以上説明したように、メッシュ状に構成されたデータ作業エリアにおいて、所望の範囲のメッシュを所定の色・形を選択して塗りつぶすことにより任意の画像データを作成したり、メッシュに従って画像データを編集・加工することができるので、表示画面が小さい携帯電話機やＰＤＡなどの携帯情報機器であっても画像データを作成したり、加工・編集することが簡単にできるようになる。
【００９１】
また、他で作成した画像データを取り込んだり、複数の画像データを１つに合成することもできるので、既存の画像データと組み合わせて所望の画像データを作成することも可能となる。
【００９２】
作成及び編集・加工した画像データは、データデータ作業エリアのメッシュに基づいて所望の範囲に分割し、分割したオブジェクトデータに所望の動作データを設定することで、設定した動作データに基づいて作動する２次元動画データが生成されるので、２次元動画データを簡単に作成することができる。
【図面の簡単な説明】
【図１】本発明に係る携帯情報機器の構成例を略示的に示したブロック図である。
【図２】図１に示した携帯情報機器における２次元動画データ作成の手順を示したフローチャートである。
【図３】図１に示した携帯情報機器において、画像データを作成（描画）するときの表示部の一例を示した説明図である。
【図４】図１に示した携帯情報機器において、画像データを作成（描画）するときの表示部の一例を示した説明図である。
【図５】図１に示した携帯情報機器において、画像データを作成（描画）するときの表示部の一例を示した説明図である。
【図６】図１に示した携帯情報機器において、画像データを編集・加工するときの表示部の一例を示した説明図である。
【図７】図１に示した携帯情報機器において、画像データを編集・加工するときの表示部の一例を示した説明図である。
【図８】図１に示した携帯情報機器において、画像データを編集・加工するときの表示部の一例を示した説明図である。
【図９】図１に示した携帯情報機器において、複数の画像データを１つの画像データに合成するときの表示部の一例を示した説明図である。
【図１０】図１に示した携帯情報機器において、複数の画像データを１つの画像データに合成するときの表示部の一例を示した説明図である。
【図１１】図１に示した携帯情報機器において、複数の画像データを１つの画像データに合成するときの表示部の一例を示した説明図である。
【図１２】図１に示した携帯情報機器において、画像データに動作データを設定するときの表示部の一例を示した説明図である。
【図１３】図１に示した携帯情報機器において、画像データに動作データを設定するときの表示部の一例を示した説明図である。
【図１４】図１に示した携帯情報機器において、画像データに動作データを自動設定するときの表示部の一例を示した説明図である。
【図１５】図１に示した携帯情報機器において、画像データに動作データを手動設定するときの表示部の一例を示した説明図である。
【図１６】図１に示した携帯情報機器において、２次元動画データの動作確認及び調整するときの表示部の一例を示した説明図である。
【図１７】２次元動画データとサウンドデータを組み合わせて利用するときの一例を示した説明図である。
【図１８】２次元動画データを利用して電子メールを作成したときの一例を示した説明図である。
【符号の説明】
１００；携帯情報機器、１１０；通信部、１２０；表示部、１３０；データ保存部、１４０；操作部、１５０；記憶部、１６０；制御部、１７０；撮像部、１８０；撮像機器
１２０Ａ；作成画面、１２１ａ；データ作業エリア、１２２ａ；描画ツール、１２３ａ；描画ツール、１２４ａ；描画ツール
１２０Ｂ；編集画面、１２１ｂ；データ作業エリア、１２２ｂ；編集ツール、１２３ｂ；編集ツール、１２４ｂ；編集ツール
１２０Ｃ；表示画面、１２１ｃ；データ作業エリア、１２２ｃ；画像調整ツール、１２４ｃ；データ表示部
１２０Ｄ；表示画面、１２１ｄ；データ作業エリア、１２２ｄ；分割ツール、１２４ｄ；データ表示部
１２０Ｅ；表示画面、１２１ｅ；データ作業エリア、１２２ｅ；動作調整ツール、１２４ｅ；動作データ選択部
【図１】
2004164396.tif 000003
【図２】
2004164396.tif 000004
【図３】
2004164396.tif 000005
【図４】
2004164396.tif 000006
【図５】
2004164396.tif 000007
【図６】
2004164396.tif 000008
【図７】
2004164396.tif 000009
【図８】
2004164396.tif 000010
【図９】
2004164396.tif 000011
【図１０】
2004164396.tif 000012
【図１１】
2004164396.tif 000013
【図１２】
2004164396.tif 000014
【図１３】
2004164396.tif 000015
【図１４】
2004164396.tif 000016
【図１５】
2004164396.tif 000017
【図１６】
2004164396.tif 000018
【図１７】
2004164396.tif 000019
【図１８】
2004164396.tif 000020